(57)【要約】      （修正有）【課題】児童などの使用者にとって道具の出し入れが容易で使い勝手がよく、開口部近傍の不測の損傷や道具の飛び出しを防止できるようにした道具かばんを提供する。【解決手段】裁縫道具を収容する収容空間１２を有した鞄本体１３の上端開口部１５にスライドファスナ１６が備えられた道具かばん１１において、鞄本体１３におけるスライドファスナ１６のスライド方向の両端に相当するマチ部１３ｂの高さが、スライドファスナ１６のスライド方向と平行でスライドファスナ１６が固定される前部１３ｃおよび後部１３ｄよりも低く形成され、マチ部１３ｂの上端部には保形部材１８が設けられる。マチ部１３ｂと前部１３ｃと後部１３ｄに囲まれる方形状の部位に、柔軟性を有するシート状で、上端縁２０にスライドファスナ１６の長手方向の両端側部分が固定されるカバー部材１９を備える。このカバー部材１９の上端縁２０の形状は、幅方向の中間部の高さが両側部の高さよりも低い形状である。【選択図】図１
0003166841.tif 000002
【実用新案登録請求の範囲】
【請求項１】
裁縫道具を収容する収容空間を有した鞄本体の上端開口部に、開閉のためのスライドファスナが備えられた裁縫道具のための道具かばんであって、
前記鞄本体における前記スライドファスナのスライド方向の両端に相当するマチ部が、スライドファスナのスライド方向と平行でスライドファスナが固定される前部および後部よりも低く形成され、
該マチ部の上端部に、幅方向に張る保形部が設けられ、
前記マチ部と前部と後部に囲まれる方形状の部位に、柔軟性を有するシート状で、上端縁に前記スライドファスナの長手方向の両端側部分が固定されるカバー部材を備え、
該カバー部材の上端縁の形状が、幅方向の中間部の高さを両側部の高さよりも低くする形状である
道具かばん。
【請求項２】
道具を収容する収容空間を有した鞄本体の上端開口部に、開閉のためのスライドファスナが備えられた道具かばんであって、
前記鞄本体における前記スライドファスナのスライド方向の両端に相当するマチ部が、スライドファスナのスライド方向と平行でスライドファスナが固定される前部および後部よりも低く形成され、
該マチ部の上端部に、幅方向に張る保形部が設けられ、
前記マチ部と前部と後部に囲まれる方形状の部位に、柔軟性を有するシート状で、上端縁に前記スライドファスナの長手方向の両端側部分が固定されるカバー部材を備え、
該カバー部材の上端縁の形状が、幅方向の中間部の高さを両側部の高さよりも低くする形状である
道具かばん。
【請求項３】
前記カバー部材の上端縁の形状が曲線を有する形状である
請求項１または請求項２に記載の道具かばん。
【請求項４】
前記カバー部材の上端縁の左右両側部と中間部が円弧状である
請求項３に記載の道具かばん。
【請求項５】
前記カバー部材が非メッシュ状のシートで構成された、
請求項１から請求項４のうちのいずれか一項に記載の道具かばん。
【請求項６】
前記カバー部材が通気性を有するメッシュ状のシートで構成されるとともに、
前記収容空間が前記道具としての画材道具を収容するものである、画材道具のための
請求項２から請求項４のうちのいずれか一項に記載の道具かばん。
【考案の詳細な説明】
【技術分野】
【０００１】
この考案は、例えば裁縫道具や画材道具、書道道具などを持ち運び可能に収容する道具かばんに関し、より詳しくは、児童・生徒などの使用者にとって使い勝手が良い道具かばんに関する。
【背景技術】
【０００２】
裁縫道具のための道具かばんには、スポーツバッグ型のものやビジネスかばん型のもの、トートバッグ型のものなどがある。
【０００３】
しかし、これらは、スポーツバッグやビジネスかばん、トートバッグを裁縫道具に合わせた大きさにしたものであり、ビジネスかばん型やトートバッグ型のものでは、開閉蓋のついたケースに収められた裁縫道具セットを横にして立てた状態で道具かばんに収納しなければならない。このため、開閉蓋の閉め忘れや不測の開放によって、内部の道具がこぼれてしまうおそれがあった。裁縫道具セットには、はさみのほか、縫い針や糸巻きなどもあるため、こぼれてしまうと、処理が面倒である。このため、処理をあせって、けがをしてしまうことも考えられる。
【０００４】
スポーツバッグ型のものの場合には、底面が比較的広いので、裁縫道具セットを水平にした状態のまま収納できる。しかし、上端開口部は、長手方向両端のマチ部から前部及び後部の上縁をつなぐ上部における幅方向の中間に設けられたスライドファスナで行うので、スライドファスナを開けても前記上部が蓋のように収容空間を覆っていることになる。このため、裁縫道具や裁縫道具セットの出し入れに際しては、収容空間を覆っている前記上部を片手で押して開口部を広げながら、他方の手で裁縫道具や裁縫道具セットを出し入れしなければならない。特に裁縫道具セットの場合には確実にしっかり保持して落とさないようにしないと、けがを招来することになる。しかし、手の小さな児童にとっては、握力も強くなく、確実に保持することが難しいことがある。このような場合には、裁縫道具セットを落としてしまうことになり、前記ビジネスかばん型やトートバッグ型の場合と同様の難点を有することになる。
【０００５】
画材道具のための道具かばんとしては、下記特許文献１に開示されたものがある。これは、バッグ本体の開口部のマチ部の開口縁をコイルスプリングで押し広げるように付勢したもので、方形状をなすマチ部上部の上部短側シートの上部に、前記コイルスプリングが設けられている。そして、この上部短側シートの上端縁には、開口部を開閉するためのスライドファスナの長手方向の両端側部分が固定されている。
【０００６】
この構成により、スライドファスナを開けると、開口部がコイルスプリングの付勢力で開くので、道具、特にケースに収納されたセットの出し入れが容易であるという効果がある。また、スライドファスナを閉じると、コイルスプリングの付勢力に抗して上部短側シートが正面略三角形状に折畳まれて、スライドファスナの端部近傍がきれいにまとまる。
【０００７】
しかしながら、スライドファスナを閉じるときには、その長手方向の端を保持してスライダを移動させようとしても、開口部を開くコイルスプリングの付勢力でスライドファスナの相対向する係合歯が離れているので、スライドファスナの端部を単に保持しただけでは、スライダを移動しようとしてもスライダ部分に負荷がかかり、移動操作には大きな力が必要となる。強引にスライダを引っ張ると、係合歯が損傷したり、スライドファスナとバッグ本体との間がほころびたりするおそれがある。
【０００８】
このため、スライダを引っ張るときにはスライドファスナの長手方向の端部を、スライドファスナの長手方向に引っ張って、この引っ張り力でコイルスプリングを付勢力に抗してＵ字状に変形させる必要がある。コイルスプリングをあらかじめ変形させることで、スライドファスナの係合歯の間隔が狭くなり、スライダの円滑な移動が可能となる。
【０００９】
しかし、要領を得ない特に児童などの使用者は、力任せに操作しがちであり、スライドファスナ部分の損傷などを引き起こしやすい。
【００１０】
また、スライドファスナの端部を引っ張るためには、片手などによる何らかの支えか、引っ張っても動かない収容物の重量が必要となる。つまり、内容物の重量が軽い場合には、何らかの支えをしない限り、スライダの円滑な移動は望めない。この結果、開閉操作がしにくいという難点がある。
【００１１】
このことは、画材道具セットの場合には、さほど問題にならないとしても、それよりも小さく、重量も軽い裁縫道具や裁縫道具セットの場合には、大きな問題となる。円滑な開閉操作のためには、何らかの手段で支えてスライドファスナの端部を引っ張る必要があるが、それをせずに無理に開口部を閉じようとした場合には、前記のようにスライドファスナ部分が損傷したり、収容空間内に収容したはさみ等が飛び出したりするおそれがある。
【先行技術文献】
【特許文献】
【００１２】
【特許文献１】特許第３８０８０２５号公報
【考案の概要】
【考案が解決しようとする課題】
【００１３】
そこでこの考案は、画材道具を収容する道具かばんについては勿論のこと、裁縫道具等を収容する道具かばんにおいても、児童・生徒などの使用者にとって使い勝手がよく、不測の損傷も防止できるようにすることを主な課題とする。
【課題を解決するための手段】
【００１４】
そのための手段は、裁縫道具を収容する収容空間を有した鞄本体の上端開口部に、開閉のためのスライドファスナが備えられた裁縫道具のための道具かばんであって、前記鞄本体における前記スライドファスナのスライド方向の両端に相当するマチ部が、スライドファスナのスライド方向と平行でスライドファスナが固定される前部および後部よりも低く形成され、該マチ部の上端部に、幅方向に張る保形部が設けられ、前記マチ部と前部と後部に囲まれる方形状の部位に、柔軟性を有するシート状で、上端縁に前記スライドファスナの長手方向の両端側部分が固定されるカバー部材を備え、該カバー部材の上端縁の形状が、幅方向の中間部の高さを両側部の高さよりも低くする形状である、道具かばんである。
【００１５】
別の手段は、道具を収容する収容空間を有した鞄本体の上端開口部に、開閉のためのスライドファスナが備えられた道具かばんであって、前記鞄本体における前記スライドファスナのスライド方向の両端に相当するマチ部が、スライドファスナのスライド方向と平行でスライドファスナが固定される前部および後部よりも低く形成され、該マチ部の上端部に、幅方向に張る保形部が設けられ、前記マチ部と前部と後部に囲まれる方形状の部位に、柔軟性を有するシート状で、上端縁に前記スライドファスナの長手方向の両端側部分が固定されるカバー部材を備え、該カバー部材の上端縁の形状が、幅方向の中間部の高さを両側部の高さよりも低くする形状である、道具かばんである。
【００１６】
前記保形部がマチ部の幅方向に突っ張ってマチ部の幅を確保するとともに、カバー部材がマチ部よりも上方の前部と後部で囲まれた部分を覆う。スライドファスナを開けた状態では、保形部が鞄本体の上端開口部を開いた状態に保持し、僅かな力で開口部を全開にできる状態である。開口部を挟むように相対向するスライドファスナの係合歯の間隔は、柔軟性を有するカバー部材の存在のため、保形部の影響を受けず、前記前部と後部で離される適当に隔たる間隔である。カバー部材の上端縁の形状が中間部ほど低いので、カバー部材が不必要にだぶつくことはなく、すっきりした外観が得られる。
【００１７】
スライドファスナを閉じるときには、スライドファスナの相対向する係合歯が強引に離されているわけではないので、片手でスライドファスナの長手方向の端を保持し、他方の手でスライダを引っ張れば、容易にスライドファスナを閉じることができる。
【００１８】
スライドフィスナを閉じたときには、カバー部材の上端縁の形状のため、スライドファスナの長手方向の両端部はマチ部に接近する方向に姿勢矯正されるともに、カバー部材は前記のようにだぶつかない状態で適宜変形し、マチ部より上側の部分に収まり、スライドファスナの端部近傍がきれいにまとまる。
【００１９】
前記カバー部材の上端縁の形状は曲線を有する形状であるとよい。より好ましくは、前記カバー部材の上端縁の左右両側部と中間部が円弧状であるとよい。  
曲線がスライドファスナのスライド操作を円滑にするとともに、スライドファスナの長手方向の両端部をマチ部に近づける方向に姿勢を矯正する。
【００２０】
前記カバー部材は非メッシュ状のシートで構成されるとよい。  
メッシュ状ではないので、カバー部材は、内部を視認させない上に、はさみの先端など道具の細い部分が外に飛び出すことを防止する。
【００２１】
前記カバー部材が通気性を有するメッシュ状のシートで構成されるとともに、前記収容空間が前記道具としての画材道具を収容するものである、画材道具のための道具かばんとしてもよい。  
カバー部材が、その通気性によって、収容空間内の画材道具の乾燥を促す。
【考案の効果】
【００２２】
この考案によれば、スライドファスナの端部を引っ張らずとも、スライドファスナの円滑な開閉ができる。このため、児童・生徒などにとっても使い勝手を良くすることができるうえに、強引な開閉によって損傷を招来するような不都合も回避できる。
【００２３】
また、カバー部材の形状により、余分な部分がなく、スライドファスナを開けたときも閉じたときも、スライドファスナの端部近傍が自然ときれいにまとまり、外観が良好である。
【図面の簡単な説明】
【００２４】
【図１】裁縫道具用の道具かばんの開いた状態の斜視図。
【図２】カバー部材の正面図。
【図３】カバー部材とマチ部の結合部分の構造を示す拡大断面図。
【図４】道具を収容して閉じた状態の道具かばんの斜視図。
【図５】道具を収容して閉じた状態の道具かばんの部分側面図。
【図６】画材道具用の道具かばんの開いた状態の斜視図。
【図７】カバー部材とマチ部の結合部分の構造を示す拡大断面図。
【図８】道具を収容して閉じた状態の道具かばんの部分側面図。
【考案を実施するための形態】
【００２５】
この考案を実施するための一形態を、以下図面を用いて説明する。  
図１は、裁縫道具用の道具かばん１１の斜視図であり、開いた状態を示している。
【００２６】
この図に示すように、道具かばん１１は、裁縫道具（図示せず）を収容する収容空間１２を有した鞄本体１３と、この鞄本体１３に取り付けられた提げ手１４で構成される。前記収容空間１２は、略直方体状をなし、上端には、平面視略長方形をなす開口部１５が形成され、この開口部１５は開口部１５の長手方向に沿って設けられたスライドファスナ１６で開閉される。
【００２７】
鞄本体１３は、前記開口部１５と略同形の底部１３ａと、前記スライドファスナ１６のスライド方向の両端に相当するマチ部１３ｂと、スライドファスナ１６のスライド方向に平行な前部１３ｃおよび後部１３ｄを備える。これら前部１３ｃと後部１３ｄの上下方向の中間に、前記提げ手１４の両端が固定される。図示しないが、前部１３ｃと後部１３ｄの表面や裏面には、収納ポケットなどを適宜取り付けることもできる。
【００２８】
前部１３ｃ及び後部１３ｄの長手方向の両端には、保形のための芯材１７が設けられ、この芯材１７が前部１３ｃと後部１３ｄを起立姿勢に保つように補助している。
【００２９】
また前部１３ｃと後部１３ｄの上端縁には、スライドファスナ１６の長手方向の中間部分が縫着により固定されている。このため、スライドファスナ１６の閉止によって結合された前部１３ｃと後部１３ｄの上端縁部分が、開口部１５を閉じたときの前記収容空間１２の上端となる。
【００３０】
前記マチ部１３ｂの高さは、前記前部１３ｃ及び後部１３ｄの高さよりも低く設定される。この高さは、適宜設定されるが、収容する裁縫道具の大きさや量に応じて設定するとよい。例えば、ケースに収容された裁縫道具セットを収容する場合には、そのケースの高さに対応する程度に設定するとよい。
【００３１】
このマチ部１３ｂの上端部には、マチ部１３ｂを幅方向に突っ張る保形部材１８が保持されている。保形部材１８は、樹脂板、ゴム板、金属板など、弾性を有する適宜の部材で構成され、マチ部１３ｂに一体化されている。
【００３２】
マチ部１３ｂと前部１３ｃと後部１３ｄで囲まれる部分には、方形状の空間ができるが、この部分にカバー部材１９が取り付けられる。
【００３３】
このカバー部材１９は、柔軟性を有するシート状をなす適宜の生地で構成され、上端縁２０に前記スライドファスナ１６の長手方向の両端側部分が縫着により固定される。
【００３４】
図２は、カバー部材１９の平面図であり、この図に示すようにカバー部材１９の上端縁２０の形状は、幅方向の中間部２０ａの高さが、両側部２０ｂの高さよりも低く設定されている。具体的には、曲線を有する形状に形成され、左右方向の両側部２０ｂと中間部２０ａが円弧状に形成されている。
【００３５】
カバー部材１９には適宜の織物等が用いられるが、網目のない非メッシュ状のシートを使用する。これは、はさみ等の道具を外部から視認できないようにするとともに、はさみの先端など道具の細い部分が外に飛び出さないようにして安全を図るためである。
【００３６】
図２中、２１は、装飾のための補助シートで、この例ではメッシュ状のシートで構成している。この補助シート２１も、上端縁２０の形状はカバー部材１９のそれと同様である。
【００３７】
この補助シート２１は、前記カバー部材１９の表面に重ねられ、その下端部は、カバー部材１９と共に図３に示した如くマチ部１３ｂに対して縫着一体化されさている。図中、２２は縫い糸である。
【００３８】
このような形状のカバー部材１９と補助シート２１の上端縁２０と、前記前部１３ｃと後部１３ｄの上端縁とに、スライドファスナ１６を固定した道具かばん１１では、図１に示したように、スライドファスナ１６は自然にのびて、カバー部材１９と補助シート２１はその上端縁２０形状によって、上端縁２０の左右方向の中間部２０ａが外に向けて押し出されるように柔軟に変形する。
【００３９】
以上のような道具かばん１１に裁縫道具を収納すべくスライドファスナ１６を開くと、開口部１５は完全には開いていないものの全体的に開いた状態であり、軽い力で開口部１５を広げることが可能な状態である。このため、たとえ両手で裁縫道具を持っても指先の簡単な操作で開口部１５を広げることができ、裁縫道具の収納は容易である。複数の裁縫道具をケースに収納した裁縫道具セットでも、収納操作は簡単である。
【００４０】
収納した裁縫道具を取り出すときも、収容空間１２の上面を覆っているものはなく、軽い力で開口部１５を広げられる状態である。このため、開口部１５を開いてあれば、収容空間１２内の裁縫道具を確実に手に持って引っ張り出すだけで、容易に取出しができる。複数の裁縫道具をケースに収納した裁縫道具セットの場合には、そのケースを両手で持った状態でも取出しができる。
【００４１】
このように、裁縫道具の出し入れ操作に際して、裁縫道具を不測にお取りしたりすることを避けられる。この結果、特に、児童などの使用に際して安全性を高められる。
【００４２】
また、裁縫道具を収納した道具かばん１１の開口部１５を閉じるには、スライドファスナ１６の長手方向の端部を片手で保持して、他方の手でスライダ１６ａを引っ張ればよい。しかも、カバー部材１９の上端縁の形状は曲線を有するので、円滑なスライド操作が可能である。従来のようにコイルスプリングの付勢力に抗してコイルスプリングをＵ字状に曲げるべくスライドファスナの端部を引っ張った状態でスライダ１６ａを操作する必要はなく、閉じる操作は容易である。単にスライドファスナ１６の端部を持ってスライダ１６ａを引っ張る操作は、特殊な操作ではないので、たとえ児童であっても正しく操作できる。
【００４３】
このため、児童・生徒などの使用者にとっても使い勝手を良くすることができる。コイルスプリングを必要としないため部品点数を低減し、製造コストを抑えることもできるという効果も得られる。
【００４４】
そのうえ、スライドファスナ１６の相対向する係合歯１６ｂは、強制的に離間されているのではなく自然な状態で離れているので、スライダ１６ａを引っ張るだけで円滑な移動が望める。このため、たとえ強引な開閉をしたとしても、スライドファスナ１６の係合歯１６ｂを損傷したり、スライドファスナ１６とカバー部材１９との間の縫着状態を劣化させたりするおそれはなく、道具かばん１１の耐久性も得られる。
【００４５】
スライドファスナ１６を閉じると、図４に示したような状態になる。すなわち、道具かばん１１のマチ部１３ｂ近傍では、左右両側部と中間部が円弧状をなすカバー部材１９（図２参照）の特異な形状のため無駄な部分がなくて変形してもだぶつかない。このため、図５にも示したようにスライドファスナ１６の端部がマチ部１３ｂに近づくような姿勢になり、スライドファスナ１６の端部近傍がきれいにまとまり、良好な外観を得られる。
【００４６】
特に、収容空間１２に対して収容空間１２の大きさにあったケース（図示せず）が収納された場合には、スライドファスナ１６の端部近傍が、幅方向に広がるカバー部材１９がスライドファスナ１６の端部を下に向けるように付勢するので、スライドファスナ１６の端部はより一層マチ部１３ｂに近づくようになる。特別にスライドファスナ１６の端部をマチ部１３ｂに対して留めなくとも、安定した状態になるので、より良好な外観となる。
【００４７】
次に、画材道具用の道具１１かばんについて説明する。この説明において、先の構成と同一または同等の部位については同一の符号を付して詳しい説明を省略する。
【００４８】
図６は、画材道具のための道具かばん１１の斜視図であり、開いた状態を示している。
【００４９】
この道具かばん１１は、収容空間１２が画材道具２３を収容するものであり、基本的に先の構成と同様であるが、マチ部１３ｂの内側の高さＨが、収容する画材道具２３のケースともなる筆洗バケツ２３ａの高さｈと同等になるように設定されている。図示は省略するが筆洗バケツ２３ａのなかには他の画材道具が収容される。
【００５０】
また、カバー部材１９は、柔軟性と通気性を有するメッシュ状のシートで構成されている。図７に、カバー部材１９とマチ部１３ｂの結合部分の断面構造を示している。図中、２４は縁布である。
【００５１】
さらに、鞄本体１３の底部１３ａにも通気のための穴部２５が形成されている。
【００５２】
このように構成された道具かばん１１では、前記と同様の作用効果を得られる上に、カバー部材１９が通気性を有するので、収容した画材道具２３の乾燥に資するという効果が得られる。
【００５３】
また、マチ部１３ｂより上方の部分は１枚のカバー部材のみで構成しているので、複数枚のシートを重ねる場合に比して柔軟性を高くできる。このため、図８に示したように、スライドファスナ１６の端部近傍をよりコンパクトにまとめることができる。
【００５４】
収容空間１２と外界との通気を図る手段として、例えば鞄本体１３の前部１３ｃと後部１３ｄの上側部分に通気性を持たせることもできるが、この場合には鞄本体１３の上部がメッシュ状であるが故に柔軟すぎて、道具かばん１１を重ねたときに下敷きになったほうの道具かばん１１の中の画材道具２３の形が表に出やすく、画材道具２３を正しく収納していない場合には積み重ね状態の安定性が損なわれることをおそれがある。しかし、前記のようにカバー部材１９が通気性を有するので、前部１３ｃと後部１３ｄに通気性を持たせなくてもよく、重なり部分にある程度の剛性が得られ、道具かばん１１を重ねたときに不安定さが生じるおそれをなくすことができる。
【００５５】
この考案の構成と前記構成との対応において、  
この考案の保形部は、前記保形部材１８に対応するも、  
この考案は前記構成のみに限定されるものではなく、その他の構成を採用することができる。
【００５６】
たとえば保形部は、別部材の取り付けで構成するのではなく、マチ部の上端縁を折り返すなどして設けることもできる。
【００５７】
また、前部や後部の上側部分には、別部材を結合して、前部や後部を構成してもよい。
【００５８】
さらに、裁縫道具用の道具かばんにおいて、カバー部材をメッシュ状のシートで構成することもでき、収容する道具としては、書道のための道具や、工作のための道具、音楽のための道具など、必要に応じて選定できる。
【符号の説明】
【００５９】
１１…道具かばん
１２…収容空間
１３…鞄本体
１３ｂ…マチ部
１３ｃ…前部
１３ｄ…後部
１５…開口部
１６…スライドファスナ
１８…保形部材
１９…カバー部材
２０…上端縁
２３…画材道具
【図１】
0003166841.tif 000003
【図２】
0003166841.tif 000004
【図３】
0003166841.tif 000005
【図４】
0003166841.tif 000006
【図５】
0003166841.tif 000007
【図６】
0003166841.tif 000008
【図７】
0003166841.tif 000009
【図８】
0003166841.tif 000010